(57)【要約】  第１のラバードームと、第２のラバードームと、前記第１のラバードーム及び前記第２のラバードームの上面に対向して配置されるスライダと、を有し、前記スライダが前記第１のラバードーム及び前記第２のラバードームの方へ動いて前記第１のラバードームの上面を押すことにより、前記第１のラバードームが変形し、前記第１のラバードームが変形した状態で更に前記スライダが前記第１のラバードーム及び前記第２のラバードームの方へ動いて前記第２のラバードームの上面を押すことにより、前記第２のラバードームが変形するものであって、前記第２のラバードームの前記第１のラバードームの側には、他の部分よりも厚い肉厚部が形成されていることを特徴とするスイッチ装置。
2019130730.tif 000002
【特許請求の範囲】
【請求項１】
第１のラバードームと、
第２のラバードームと、
前記第１のラバードーム及び前記第２のラバードームの上面に対向して配置されるスライダと、
を有し、
前記スライダが前記第１のラバードーム及び前記第２のラバードームの方へ動いて前記第１のラバードームの上面を押すことにより、前記第１のラバードームが変形し、前記第１のラバードームが変形した状態で更に前記スライダが前記第１のラバードーム及び前記第２のラバードームの方へ動いて前記第２のラバードームの上面を押すことにより、前記第２のラバードームが変形するものであって、
前記第２のラバードームの前記第１のラバードームの側には、他の部分よりも厚い肉厚部が形成されていることを特徴とするスイッチ装置。
【請求項２】
前記第１のラバードーム及び前記第２のラバードームは、前記スライダにより押されて座屈する変形部を有し、
前記肉厚部は、前記第２のラバードームの前記変形部の前記第１のラバードームの側に設けられていることを特徴とする請求項１に記載のスイッチ装置。
【請求項３】
前記第１のラバードームの内側に形成された可動接点部と、
前記第２のラバードームの内側に形成された可動接点部と、
表面に第１の固定接点部及び第２の固定接点部が設けられた基板と、
を有し、
前記第１のラバードームの可動接点部と前記第１の固定接点部が対向し、前記第２のラバードームの可動接点部と前記第２の固定接点部が対向して配置されており、
前記第１のラバードームが変形した際には、前記第１のラバードームの内側の可動接点部と前記第１の固定接点部とが接触し、
前記第２のラバードームが変形した際には、前記第２のラバードームの内側の可動接点部と前記第２の固定接点部とが接触することを特徴とする請求項１または２に記載のスイッチ装置。
【請求項４】
操作部を有し、
前記スライダは、前記操作部が操作されることにより動き、前記第１のラバードーム及び前記第２のラバードームの上面を押すことを特徴とする請求項１から３のいずれかに記載のスイッチ装置。
【発明の詳細な説明】
【技術分野】
【０００１】
本発明は、スイッチ装置に関するものである。
【背景技術】
【０００２】
スイッチ装置として、２つのスイッチを有する２段スイッチが存在している。この２段スイッチは、スイッチを押す押下部材を押した際、最初に一方のスイッチがオンとなり、次に、他方のスイッチがオンとなるものであり、２段階でオンオフ動作を行うことができる。このような２段スイッチは、様々な用途、例えば、パワーウィンドウの操作用スイッチ等に用いられている。
【先行技術文献】
【特許文献】
【０００３】
【特許文献１】特開平２−４０８２０号公報
【特許文献２】特開２０１６−１５５７号公報
【発明の概要】
【発明が解決しようとする課題】
【０００４】
上記のような２段スイッチにおける各々のスイッチは、基板の表面に２つの固定接点部と、この２つの固定接点部を覆うように設置され、内側には可動接点部が設けられたラバードームとを有している。このスイッチでは、押下部材を押すことによりラバードームが基板側に変形し、ラバードームの内側に設けられた可動接点部が、基板の表面に設けられた２つの固定接点部の双方と接触することにより、スイッチが閉じられオンとなる。２段スイッチでは、このようなスイッチが２つ設けられており、押下部材と２つのラバードームとの間にアクチュエータを設けることにより、２つのスイッチのタイミングをずらしてオンにすることができる。即ち、一方のスイッチがオン動作した後に、更に力を加えることにより、他方のスイッチをオン動作させることができる。【０００５】
このような２段スイッチを自動車のパワーウィンドウの操作用スイッチとして用いた場合には、一方のスイッチのオン期間中だけドアガラスを上下動作せるマニュアルモードとして用い、続けて他方のスイッチがオンとなったときには、その後にオフとなっても、ドアガラスを窓の閉鎖位置または開放位置まで自動的に動作させるオートモードとして用いるような、使い分けをすることができる。【０００６】
ところで、このような２段スイッチは、２段階の操作感を認識しやすく、長寿命であるものが好ましい。【０００７】
このため、２段スイッチにおいて、２段階の操作感が認識しやすく、長寿命なものが求められている。
【課題を解決するための手段】
【０００８】
本実施の形態の一観点によれば、第１のラバードームと、第２のラバードームと、前記第１のラバードーム及び前記第２のラバードームの上面に対向して配置されるスライダと、を有し、前記スライダが前記第１のラバードーム及び前記第２のラバードームの方へ動いて前記第１のラバードームの上面を押すことにより、前記第１のラバードームが変形し、前記第１のラバードームが変形した状態で更に前記スライダが前記第１のラバードーム及び前記第２のラバードームの方へ動いて前記第２のラバードームの上面を押すことにより、前記第２のラバードームが変形するものであって、前記第２のラバードームの前記第１のラバードームの側には、他の部分よりも厚い肉厚部が形成されていることを特徴とする。
【発明の効果】
【０００９】
開示のスイッチ装置によれば、２段スイッチにおいて、２段階の操作感が認識しやすく、長寿命にすることができる。
【図面の簡単な説明】
【００１０】
【図１】本実施の形態におけるスイッチ装置の分解斜視図
【図２】本実施の形態におけるスイッチ装置の斜視図
【図３Ａ】本実施の形態におけるスイッチ装置の構造図（１）
【図３Ｂ】本実施の形態におけるスイッチ装置の構造図（２）
【図４】本実施の形態におけるスイッチ装置の断面図（１）
【図５】本実施の形態におけるスイッチ装置の断面図（２）
【図６】本実施の形態におけるスイッチ装置のラバードームシートの斜視図
【図７】本実施の形態におけるスイッチ装置の基板の斜視図
【図８】ラバードームシートの上面図
【図９】ラバードームシートの断面図（１）
【図１０Ａ】ラバードームシートの断面図（２）
【図１０Ｂ】ラバードームシートの断面図（３）
【図１１Ａ】ラバードームの変形の説明図（１）
【図１１Ｂ】ラバードームの変形の説明図（２）
【図１１Ｃ】ラバードームの変形の説明図（３）
【図１２】図８〜図１１Ｃのラバードームシートを用いたスイッチのフィーリング曲線の特性図
【図１３】本実施の形態におけるラバードームシートの上面図
【図１４】本実施の形態におけるラバードームシートの断面図（１）
【図１５Ａ】本実施の形態におけるラバードームシートの断面図（２）
【図１５Ｂ】本実施の形態におけるラバードームシートの断面図（３）
【図１６Ａ】本実施の形態におけるラバードームの変形の説明図（１）
【図１６Ｂ】本実施の形態におけるラバードームの変形の説明図（２）
【図１６Ｃ】本実施の形態におけるラバードームの変形の説明図（３）
【図１７】本実施の形態におけるラバードームシートを用いたスイッチのフィーリング曲線の特性図
【図１８】本実施の形態におけるラバードームシートの変形例１の上面図
【図１９】本実施の形態におけるラバードームシートの変形例１の断面図
【図２０】本実施の形態におけるラバードームシートの変形例２の上面図
【図２１】本実施の形態におけるラバードームシートの変形例２の断面図（１）
【図２２】本実施の形態におけるラバードームシートの変形例２の断面図（２）
【図２３】本実施の形態におけるラバードームシートの変形例３の上面図
【図２４】本実施の形態におけるラバードームシートの変形例３の断面図
【発明を実施するための形態】
【００１１】
実施するための形態について、以下に説明する。尚、同じ部材等については、同一の符号を付して説明を省略する。尚、本願においては、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１２】
（２段スイッチ）
本実施の形態におけるスイッチ装置である２段スイッチについて説明する。図１は、本実施の形態におけるスイッチ装置である２段スイッチの分解斜視図であり、図２は斜視図であり、図３Ａは側面図であり、図３Ｂは上面図である。図４は、図３Ｂにおける一点鎖線３Ａ−３Ｂにおいて切断した断面図であり、図５は、図３Ｂにおける一点鎖線３Ｃ−３Ｄにおいて切断した断面図である。
【００１３】
本実施の形態におけるスイッチ装置は、操作部１０、支持部２０、２つのアクチュエータ（スライダの一例）３０Ａ、３０Ｂ、ラバードームシート４０、基板６０、下ケース８０等を有している。
【００１４】
操作部１０は、本実施の形態におけるスイッチ装置を操作者が触れて操作するための部分であり、耐熱性のＡＢＳ樹脂（acrylonitrile butadiene styrene copolymer）等の合成樹脂により射出成形により形成されている。操作部１０は箱形の形状で形成されており、操作部１０の上面は、操作者が押す操作面１１となっている。
【００１５】
操作部１０は、図２の一点鎖線１Ａに示される軸を中心に回動することができるように支持部２０に取り付けられている。これにより操作者の指等により、操作部１０の操作面１１を上から押す、即ち、Ｚ１方向の側からＺ２方向の側に押すと、操作部１０がＺ２方向に動く。従って、図３Ａ等における破線矢印Ａに示すように、操作部１０を上下動作させることができる。
【００１６】
操作部１０の内側には、図４及び図５に示されるように、操作面１１の裏側の天井面１２から、Ｚ２方向に延びる２つの突起部１３ａ、１３ｂが形成されている。これらの２つの突起部１３ａ、１３ｂのうちの一方の突起部１３ａはアクチュエータ３０Ａに対応するものであり、他方の突起部１３ｂはアクチュエータ３０Ｂに対応するものである。
【００１７】
支持部２０は、耐熱性のＡＢＳ樹脂等の合成樹脂により、射出成形により形成されている。支持部２０は、上部となるＺ１方向側が操作部１０を支持する部分であり、下部となるＺ２方向側が上ケース２１となっている。支持部２０の上部には、Ｚ１方向に延びる壁面の内側に対向して凸部が設けられており、凸部に対応して設けられた操作部１０の係合部に凸部が入り込んでおり、操作部１０を回動可能な状態で支持している。
【００１８】
下ケース８０は箱状の形状をしており、上ケース２１が設けられている支持部２０と同様に、耐熱性のＡＢＳ樹脂等の合成樹脂を用いて射出成形により形成されている。本実施の形態におけるスイッチ装置においては、支持部２０における上ケース２１と下ケース８０とを接続することにより、内部に空間を有する箱体が形成され、この箱体の内部に、アクチュエータ３０Ａ、３０Ｂ、ラバードームシート４０、基板６０等が収納されている。
【００１９】
アクチュエータ３０Ａ、３０Ｂは、ポリオキシメチレン樹脂（ＰＯＭ：polyoxymethylene）等の合成樹脂により、射出成形により形成されている。アクチュエータ３０Ａ、３０Ｂは、各々矩形で平板状の本体部３１と、本体部３１のＺ２方向側に設けられた押下部３２とを有している。アクチュエータ３０Ａ、３０Ｂの押下部３２のＺ２方向側の底面３２ａには、２つの凸部３３、３４がＸ１−Ｘ２方向の両側に設けられている。
【００２０】
アクチュエータ３０Ａ、３０Ｂの本体部３１のＺ１方向側の上面３５には、各々のアクチュエータ３０Ａ、３０Ｂに対応する操作部１０の内側の天井面１２に設けられた突起部１３ａ、１３ｂと接触している。
【００２１】
具体的には、図４に示されるように、アクチュエータ３０Ａの本体部３１のＺ１方向側の上面３５は、操作部１０の内側に設けられた突起部１３ａと、本体部３１の上面３５の中心よりもＸ２方向側で接触している。
【００２２】
また、図５に示されるように、アクチュエータ３０Ｂの本体部３１のＺ１方向側の上面３５は、操作部１０の内側の天井面１２に設けられた突起部１３ｂと、本体部３１の上面３５の中心よりもＸ１方向側で接触している。
【００２３】
アクチュエータ３０Ａ、３０Ｂは、操作部１０における操作に伴いＺ１−Ｚ２方向に動く。具体的には、アクチュエータ３０Ａ、３０Ｂは、操作部１０における操作面１１を押すことにより、Ｚ２方向に動く。本実施の形態においては、操作部１０の内側に設けられた突起部１３ａ、１３ｂと接触しているアクチュエータ３０Ａ、３０Ｂの本体部３１の上面３５の位置を上面３５の中心よりずらすことにより、操作部１０によりアクチュエータ３０Ａ、３０Ｂが押された際に、各々のアクチュエータ３０Ａ、３０Ｂは、傾倒した動作を行う。
【００２４】
次に、ラバードームシート４０について図６に基づき説明する。本実施の形態においては、ラバードームシート４０は、合成ゴム等の弾性を有する材料により形成されており、略箱形のベース部４１には、Ｚ１方向側に出っ張った４つのラバードーム５１Ａ、５２Ａ、５１Ｂ、５２Ｂが形成されている。本実施の形態においては、ラバードーム５１Ａ、５１Ｂを第１のラバードームと記載し、ラバードーム５２Ａ、５２Ｂを第２のラバードームと記載する場合がある。
【００２５】
第１のラバードーム５１Ａ、５１Ｂの外側は、Ｚ１方向側に凸となる上部５３ａが形成されており、上部５３ａのＺ１方向側の上面５３ｂの中央部分には凹部５３ｃが設けられている。上部５３ａとベース部４１との間には、上部５３ａがＺ２方向に座屈するように変形する変形部５３ｄが形成されている。
【００２６】
第２のラバードーム５２Ａ、５２Ｂの外側は、Ｚ１方向側に凸となる上部５４ａが形成されており、上部５４ａのＺ１方向側の上面５４ｂの中央部分には凹部５４ｃが設けられている。上部５４ａとベース部４１との間には、上部５４ａがＺ２方向に座屈するように変形する変形部５４ｄが形成されている。
【００２７】
また、図４及び図５に示されるように、第１のラバードーム５１Ａ、５１Ｂの内側には、Ｚ２方向に凸となる下部５３ｅが形成されており、下部５３ｅのＺ２方向側の面に可動接点部５５が設けられている。同様に、第２のラバードーム５２Ａ、５２Ｂの内側には、Ｚ２方向に凸となる下部５４ｅが形成されており、下部５４ｅのＺ２方向側の面には可動接点部５６が設けられている。
【００２８】
本実施の形態においては、可動接点部５５及び可動接点部５６は、導電性を有する炭素（カーボン）等により形成されている。具体的には、可動接点部５５及び可動接点部５６は、カーボン等の導電性の粉体が合成樹脂のバインダー中に分散された導電性インクを用いて形成されている。
【００２９】
第１のラバードーム５１Ａ、第２のラバードーム５２Ａは、アクチュエータ３０Ａに対応しているものであり、アクチュエータ３０Ａの押下部３２に設けられた凸部３３は第１のラバードーム５１Ａの凹部５３ｃに入り込んでおり、凸部３４は、第２のラバードーム５２Ａの凹部５４ｃ内に入り込んでいる。この状態においては、アクチュエータ３０Ａの押下部３２の底面３２ａは、第１のラバードーム５１Ａの上面５３ｂ及び第２のラバードーム５２Ａの上面５４ｂと接触している。
【００３０】
第１のラバードーム５１Ｂ、第２のラバードーム５２Ｂは、アクチュエータ３０Ｂに対応しているものであり、アクチュエータ３０Ｂの押下部３２に設けられた凸部３３は第１のラバードーム５１Ｂの凹部５３ｃに入り込んでおり、凸部３４は、第２のラバードーム５２Ｂの凹部５４ｃ内に入り込んでいる。この状態においては、アクチュエータ３０Ｂの押下部３２の底面３２ａは、第１のラバードーム５１Ｂの上面５３ｂ及び第２のラバードーム５２Ｂの上面５４ｂと接触している。
【００３１】
次に、基板６０について図７に基づき説明する。本実施の形態においては、基板６０は、基板本体６１の表面に銅箔等の金属膜がパターニングされたプリント配線板(ＰＣＢ、printed wiring board)が用いられている。具体的には、基板６０の一方の面には、４つの固定接点部、即ち、第１の固定接点部７１Ａ、７１Ｂ、第２の固定接点部７２Ａ、７２Ｂが形成されている。これらの第１の固定接点部７１Ａ、７１Ｂ、第２の固定接点部７２Ａ、７２Ｂは、ラバードームシート４０に設けられた４つのラバードーム５１Ａ、５１Ｂ、５２Ａ、５２Ｂに対応する位置に設けられている。
【００３２】
第１の固定接点部７１Ａ、７１Ｂには、基板本体６１の表面に形成された金属膜により、一方の固定接点７３ａ及び他方の固定接点７３ｂ等が形成されている。第２の固定接点部７２Ａ、７２Ｂには、基板本体６１の表面に形成された金属膜により、一方の固定接点７４ａ及び他方の固定接点７４ｂ等が形成されている。
【００３３】
本実施の形態におけるスイッチ装置においては、基板６０の上の所定の位置にラバードームシート４０が設置されている。これにより、第１の固定接点部７１Ａは、ラバードームシート４０の第１のラバードーム５１Ａに対応する位置に配置され、第２の固定接点部７２Ａは、ラバードームシート４０の第２のラバードーム５２Ａに対応する位置に配置される。同様に、第１の固定接点部７１Ｂは、ラバードームシート４０の第１のラバードーム５１Ｂに対応する位置に配置され、第２の固定接点部７２Ｂは、ラバードームシート４０の第２のラバードーム５２Ｂに対応する位置に配置される。
【００３４】
この状態では、ラバードームシート４０の第１のラバードーム５１Ａの可動接点部５５と基板６０に形成された第１の固定接点部７１Ａとが対向しており、第１の固定接点部７１Ａと第１のラバードーム５１Ａとにより第１のスイッチが形成される。また、ラバードームシート４０の第２のラバードーム５２Ａの可動接点部５６と基板６０に形成された第２の固定接点部７２Ａとが対向しており、第２の固定接点部７２Ａと第２のラバードーム５２Ａとにより第２のスイッチが形成される。このように、第１の固定接点部７１Ａと第１のラバードーム５１Ａとにより形成された第１のスイッチと、第２の固定接点部７２Ａと第２のラバードーム５２Ａとにより形成された第２のスイッチは、アクチュエータ３０Ａにより操作される。
【００３５】
また、ラバードームシート４０の第１のラバードーム５１Ｂの可動接点部５５と基板６０に形成された第１の固定接点部７１Ｂとが対向しており、第１の固定接点部７１Ｂと第１のラバードーム５１Ｂとにより第１のスイッチが形成される。また、ラバードームシート４０の第２のラバードーム５２Ｂの可動接点部５６と基板６０に形成された第２の固定接点部７２Ｂとが対向しており、第２の固定接点部７２Ｂと第２のラバードーム５２Ｂとにより第２のスイッチが形成される。このように、第１の固定接点部７１Ｂと第１のラバードーム５１Ｂとにより形成された第１のスイッチと、第２の固定接点部７２Ｂと第２のラバードーム５２Ｂとにより形成された第２のスイッチは、アクチュエータ３０Ｂにより操作される。
【００３６】
本実施の形態においては、操作部１０の操作面１１を下に、即ち、Ｚ２方向側に押すことにより、操作部１０がＺ２方向に動き、操作部１０の内側に設けられた一方の突起部１３ａにより、アクチュエータ３０Ａの上面３５が押され、他方の突起部１３ｂによりアクチュエータ３０Ｂの上面３５が押される。
【００３７】
このように、操作部１０の内側に設けられた一方の突起部１３ａにより、アクチュエータ３０Ａの上面３５が押されることにより、アクチュエータ３０Ａが傾倒する。これにより、最初に、アクチュエータ３０Ａの押下部３２の凸部３３が入り込んでいる凹部５３ｃが設けられた第１のラバードーム５１Ａを押し、第１のラバードーム５１Ａの変形部５３ｄが変形し、第１のラバードーム５１Ａの内側に設けられた可動接点部５５が、第１の固定接点部７１Ａにおける一方の固定接点７３ａ及び他方の固定接点７３ｂと接触し、一方の固定接点７３ａと他方の固定接点７３ｂとが電気的に接続されて、第１のスイッチがオンとなる。
【００３８】
この状態で、更に、操作部１０の操作面１１を下に、即ち、Ｚ２方向側に押すことにより、アクチュエータ３０Ａが動き、アクチュエータ３０Ａの押下部３２の凸部３４が入り込んでいる凹部５４ｃが設けられた第２のラバードーム５２Ａを押し、第２のラバードーム５２Ａの変形部５４ｄを変形させ、第２のラバードーム５２Ａの内側に設けられた可動接点部５６が、第２の固定接点部７２Ａにおける一方の固定接点７４ａ及び他方の固定接点７４ｂと接触し、一方の固定接点７４ａと他方の固定接点７４ｂとが電気的に接続されて、第２のスイッチがオンとなる。
【００３９】
よって、本実施の形態におけるスイッチ装置では、操作部１０の操作面１１を下に、即ち、Ｚ２方向側に押すことにより、最初に第１のスイッチがオンとなる。この状態では、第２のスイッチはオフのままである。この後、更に、操作部１０の操作面１１を下に押すことにより、第２のスイッチがオンとなり、第１のスイッチ及び第２のスイッチがともにオンとなる。
【００４０】
（ラバードーム）
次に、図８から図１０Ｂに示すような、一般的なラバードームシートを用いた２段スイッチの操作感について説明する。尚、図８は、このラバードームシート９４０の上面図であり、図９は、図８における一点鎖線８Ａ−８Ｂにおいて切断した断面図であり、図１０Ａは、一点鎖線８Ｃ−８Ｄにおいて切断した断面図であり、図１０Ｂは、一点鎖線８Ｅ−８Ｆにおいて切断した断面図である。尚、このラバードームシート９４０は、第１のラバードーム９５１と第２のラバードーム９５２とを有している。
【００４１】
第１のラバードーム９５１の外側は、Ｚ１方向側に凸となる上部９５３ａが形成されており、上部９５３ａのＺ１方向側の上面９５３ｂの中央部分には凹部９５３ｃが設けられている。上部９５３ａとベース部との間には、上部９５３ａがＺ２方向に座屈するように変形する変形部９５３ｄが形成されている。
【００４２】
第２のラバードーム９５２の外側は、Ｚ１方向側に凸となる上部９５４ａが形成されており、上部９５４ａのＺ１方向側の上面９５４ｂの中央部分には凹部９５４ｃが設けられている。上部９５４ａとベース部との間には、上部９５４ａがＺ２方向に座屈するように変形する変形部９５４ｄが形成されている。
【００４３】
また、第１のラバードーム９５１の内側には、Ｚ２方向に凸となる下部９５３ｅが形成されており、下部９５３ｅのＺ２方向側の面に可動接点部９５５が設けられている。同様に、第２のラバードーム９５２の内側には、Ｚ２方向に凸となる下部９５４ｅが形成されており、下部９５４ｅのＺ２方向側の面には可動接点部９５６が設けられている。本実施の形態においては、可動接点部９５５及び可動接点部９５６は、導電性を有する炭素（カーボン）等により形成されている。
【００４４】
図１１Ａ〜図１１Ｃは、アクチュエータ３０により押されたラバードームが変形する様子を示すものであり、基板６０の上の対応する位置にラバードームシート９４０が被せされ、ラバードームシート９４０の上には、アクチュエータ３０が設置されている。
【００４５】
図１１Ａは、アクチュエータ３０が押される前の状態を示している。アクチュエータ３０の押下部３２に設けられた凸部３３は第１のラバードーム９５１の凹部９５３ｃに入り込んでおり、凸部３４は、第２のラバードーム９５２の凹部９５４ｃ内に入り込んでいる。この状態においては、アクチュエータ３０の押下部３２の底面３２ａは、第１のラバードーム９５１の上面９５３ｂ及び第２のラバードーム９５２の上面９５４ｂと接触している。図１１Ａに示す状態では、アクチュエータ３０の押下部３２の底面３２ａは、ＸＹ面と略平行な状態となっており、第１のラバードーム９５１の上面９５３ｂ及び第２のラバードーム９５２の上面９５４ｂも、ＸＹ面と略平行な状態となっている。
【００４６】
この状態から、アクチュエータ３０が押されると、アクチュエータ３０の押下部３２の凸部３３が入り込んでいる第１のラバードーム９５１の上面９５３ｂが押され、変形部９５３ｄが座屈し、図１１Ｂに示す状態となる。図１１Ｂに示される状態では、第１のラバードーム９５１の下部９５３ｅに設けられた可動接点部９５５が、基板に設けられた第１の固定接点部７１と接触し、第１のスイッチがオンとなる。この状態では、第２のラバードーム９５２は、アクチュエータ３０の押下部３２により押されているものの、アクチュエータ３０の押下部３２により押される力が偏っているため、変形部９５４ｄが完全に座屈するまでには至ってはいない。従って、図１１Ｂに示されるように、アクチュエータ３０の押下部３２の底面３２ａは、ＸＹ面に対し傾いた状態、即ち、Ｘ２方向側がＸ１方向側よりも下側（Ｚ２方向側）となるように傾いた状態となっている。この状態では、上述したように、第２のラバードーム９５２には力が加わっている。従って、第２のラバードーム９５２の上面９５４ｂも、アクチュエータ３０の押下部３２の底面３２ａに対応して傾いた状態となり、第２のラバードーム９５２の変形部９５４ｄが一部変形している状態となる。
【００４７】
この後、更に、アクチュエータ３０により押されることにより、図１１Ｃに示されるように、第２のラバードーム９５２の変形部９５４ｄも座屈し、第２のラバードーム９５２の下部９５４ｅに設けられた可動接点部９５６が、基板に設けられた第２の固定接点部７２と接触し、第２のスイッチがオンとなる。
【００４８】
このようなラバードームシート９４０を用いたスイッチにおいて、操作部を押した場合の変位量と操作部を押す力との関係を図１２に示す。図１２において、移動量Ｌ１は、操作部が押される前の状態から第１のスイッチをオンにするまでの変位量であり、移動量Ｌ２は、第１のスイッチがオンになった状態から第２のスイッチをオンにするまでの変位量である。２段スイッチでは、操作感の観点より、移動量Ｌ１と移動量Ｌ２は略等しいことが好ましい。これは、例えば、移動量Ｌ２があまりに短いと、第１のスイッチをオンにした後、僅かに変位させただけで第２のスイッチがオンになってしまい、第１のスイッチのみをオンの状態となるように維持することが困難となる。また、移動量Ｌ１に比べて移動量Ｌ２が長すぎると、第１のスイッチがオンになった後、操作部をどの程度押せばオンになるのか感覚的に解りにくいため、第２のスイッチをオンにする操作がし難い。このため、２段スイッチを操作する操作感の観点からは、操作部を押していない状態から、第１のスイッチをオンにするまでの移動量Ｌ１と、第１のスイッチがオンになった後、第２のスイッチをオンにするまでの移動量Ｌ２は、略等しい方が好ましい。
【００４９】
しかしながら、図１２に示されるように、図８から図１０Ｂに示されるラバーシートドームを用いた２段スイッチでは、移動量Ｌ１よりも移動量Ｌ２が短い。これは、図１１Ｂに示される状態においては、第２のラバードーム９５２の変形部９５４ｄは完全には座屈してはいないが、アクチュエータ３０の押下部３２の底面３２ａにより押され、第２のラバードーム９５２の上面９５４ｂが傾いた状態となっているからである。このように、第２のラバードーム９５２の上面９５４ｂが傾いた状態では、第２のラバードーム９５２の変形部９５４ｄの一部、即ち、第２のラバードーム９５２の変形部９５４ｄのＸ１方向側が変形している。
【００５０】
また、この状態では、図１１Ｂに示すように、第２のラバードーム９５２の変形部９５４ｄの一部が変形しているため、第２のラバードーム９５２の変形部９５４ｄのこの部分の負荷は大きく痛みやすいため、ラバードームの寿命が短くなる場合がある。
【００５１】
このため、第２のラバードーム９５２の変形部９５４ｄを全体的に厚くして、第２のラバードーム９５２の変形部９５４ｄの強度を高める方法が考えられる。これにより、アクチュエータ３０の押下部３２の底面３２ａにより、第１のラバードーム９５１の変形部９５３ｄが座屈するまで押されても、第２のラバードーム９５２の変形部９５４ｄの変形を防ぐことができる。従って、第２のラバードーム９５２の上面９５４ｂが傾いた状態となることも防ぐことができ、移動量Ｌ１と移動量Ｌ２を略同じにすることができ、更には、ラバードームの寿命を長くすることができる。しかしながら、この場合、第２のラバードーム９５２の変形部９５４ｄの強度が強くなった分、第２のラバードーム９５２の変形部９５４ｄを座屈させるために必要な力も高くなる。従って、かなり強い力を加えないと第２のスイッチをオンさせることができないため、操作感も悪くなる。
【００５２】
尚、２段スイッチの操作感の観点からは、第１のスイッチをオンにするために必要な力Ｆ１と、第２のスイッチをオンにするために必要な力Ｆ２との関係は、Ｆ１：Ｆ２＝１：２程度であることが好ましい。
【００５３】
従って、第２のスイッチをオンにするために必要な力があまり高くなりすぎることなく、第１のスイッチをオンにするまでの移動量Ｌ１と、第１のスイッチがオンになった後、第２のスイッチをオンにするまでの移動量Ｌ２が略等しい２段スイッチが求められている。
【００５４】
（本実施の形態におけるラバードーム）
次に、本実施の形態におけるスイッチ装置のラバードームについて、図１３から図１５Ｂに基づき説明する。尚、図１３は、本実施の形態におけるスイッチ装置のラバードームシート４０の上面図であり、図１４は、図１３における一点鎖線１３Ａ−１３Ｂにおいて切断した断面図であり、図１５Ａは、一点鎖線１３Ｃ−１３Ｄにおいて切断した断面図であり、図１５Ｂは、一点鎖線１３Ｅ−１３Ｆにおいて切断した断面図である。尚、第１のラバードーム５１Ａ及び第２のラバードーム５２Ａにより形成される２段スイッチについて説明するが、第１のラバードーム５１Ｂ及び第２のラバードーム５２Ｂにより形成される２段スイッチについても同様である。
【００５５】
本実施の形態は、第２のラバードーム５２Ａの外側の上部５４ａの周囲の上部側面５４ｆ及び変形部５４ｄには、Ｘ１−Ｘ２方向にリブ部（肉厚部の一例）５４ｇが設けられており、厚さが厚くなっている。従って、第２のラバードーム５２Ａは、リブ部５４ｇが形成されていないＹ１−Ｙ２方向における上部側面５４ｆ及び変形部５４ｄの厚さよりも、リブ部５４ｇが形成されているＸ１−Ｘ２方向における上部側面５４ｆ及び変形部５４ｄの厚さが厚い。例えば、第２のラバードーム５２Ａは、リブ部５４ｇが形成されていないＹ１−Ｙ２方向における変形部５４ｄの厚さは約０．４５ｍｍであるのに対し、リブ部５４ｇが形成されているＸ１−Ｘ２方向における変形部５４ｄの厚さは約０．５５ｍｍである。
【００５６】
尚、Ｘ１−Ｘ２方向は、第１のラバードーム５１Ａと第２のラバードーム５２Ａとが並んでいる方向である。従って、リブ部５４ｇは、第１のラバードーム５１Ａと第２のラバードーム５２Ａとが並んでいる方向における第２のラバードーム５２Ａの上部５３ａ及び変形部５４ｄに形成されている。言い換えるならば、第２のラバードーム５２Ａの上部５３ａ及び変形部５４ｄに形成されているリブ部５４ｇは、第１のラバードーム５１Ａの側に形成されている。
【００５７】
また、第１のラバードーム５１Ａについては、リブ部に相当するものは形成されてはいないため、Ｘ１−Ｘ２方向、及び、Ｙ１−Ｙ２方向における上部５３ａ及び変形部５４ｄの厚さは略同じである。例えば、第１のラバードーム５１Ａは、Ｘ１−Ｘ２方向、及び、Ｙ１−Ｙ２方向における変形部５３ｄの厚さは同じであり、約０．３５ｍｍである。
【００５８】
図１６Ａ〜図１６Ｃは、アクチュエータ３０により押されたラバードームが変形する様子を示すものであり、基板６０の上の対応する位置にラバードームシート４０が被せされ、ラバードームシート４０の上には、アクチュエータ３０Ａが設置されている。
【００５９】
図１６Ａは、アクチュエータ３０Ａが押される前の状態を示している。アクチュエータ３０Ａの押下部３２に設けられた凸部３３は第１のラバードーム５１Ａの凹部５３ｃに入り込んでおり、凸部３４は、第２のラバードーム５２Ａの凹部５４ｃ内に入り込んでいる。この状態においては、アクチュエータ３０の押下部３２の底面３２ａは、第１のラバードーム５１Ａの上面５３ｂ及び第２のラバードーム５２Ａの上面５４ｂと接触している。よって、図１６Ａに示す状態では、アクチュエータ３０Ａの押下部３２の底面３２ａは、ＸＹ面と略平行な状態となっており、第１のラバードーム５１Ａの上面５３ｂ及び第２のラバードーム５２Ａの上面５４ｂも、ＸＹ面と略平行な状態となっている。
【００６０】
この状態から、操作部１０を押すことにより、アクチュエータ３０Ａが押されると、アクチュエータ３０Ａの押下部３２の凸部３３が入り込んでいる第１のラバードーム５１Ａの上面５３ｂが押され、変形部５３ｄが座屈し、図１６Ｂに示す状態となる。図１６Ｂに示される状態では、第１のラバードーム５１Ａの下部５３ｅに設けられた可動接点部５５が、基板に設けられた第１の固定接点部７１Ａと接触し、第１のスイッチがオンとなる。本実施の形態においては、第２のラバードーム５２Ａは、上部側面５４ｆ及び変形部５４ｄにおいて、第１のラバードーム５１Ａの側にリブ部５４ｇが形成されており、この部分の厚さは厚くなっており、強度が高くなっている。従って、この状態では、第２のラバードーム５２Ａは、アクチュエータ３０の押下部３２により押され、第２のラバードーム５２Ａには力が加わっているが、第２のラバードーム５２Ａの上部側面５４ｆ及び変形部５４ｄに形成されているリブ部５４ｇにより形状が維持されるため、この部分の変形が抑制される。よって、第２のラバードーム５２Ａの上面５４ｂは、ＸＹ面と略平行な状態が保たれる。
【００６１】
尚、この状態は、図１６Ｂに示されるように、アクチュエータ３０の押下部３２の底面３２ａは、ＸＹ面に対し傾いた状態、即ち、Ｘ２方向側がＸ１方向側よりも下側（Ｚ２方向側）となるように傾いた状態となっている。
【００６２】
この後、更に、アクチュエータ３０Ａにより押されることにより、図１６Ｃに示されるように、第２のラバードーム５２Ａの変形部５４ｄも座屈し、第２のラバードーム５２Ａの下部５４ｅに設けられた可動接点部５６が、基板６０に設けられた第２の固定接点部７２Ａと接触し、第２のスイッチがオンとなる。
【００６３】
このような本実施の形態におけるラバードームシート４０を用いたスイッチにおいて、操作部を押した場合の変位量と操作部を押す力との関係を図１７に示す。図１７において、移動量Ｌ１は、操作部が押される前の状態から第１のスイッチをオンにするまでの変位量であり、移動量Ｌ２は、第１のスイッチがオンになった状態から第２のスイッチをオンにするまでの変位量である。
【００６４】
本実施の形態は、図１６Ｂに示される状態においては、第２のラバードーム５２Ａは、力が加わる第１のラバードーム５１Ａ側の上部側面５４ｆ及び変形部５４ｄには、リブ部５４ｇが形成されており、この部分の強度が強くなっている。このため、アクチュエータ３０の押下部３２の底面３２ａにより、第２のラバードーム５２Ａの上面５４ｂが押されても、第２のラバードーム５２Ａの変形部５４ｄは変形することがなく形状が維持されるため、第２のラバードーム５２Ａの上面５４ｂが傾いた状態にはならない。
【００６５】
従って、図１７に示されるように、本実施の形態におけるラバーシートドームを用いた２段スイッチでは、移動量Ｌ１と移動量Ｌ２とを略同じにすることができる。また、この状態では、図１６Ｂに示すように、第２のラバードーム５２Ａの変形部５４ｄは変形しないため、第２のラバードーム５２Ａの寿命を長くすることができる。
【００６６】
また、第２のラバードーム５２Ａの変形部５４ｄのリブ部５４ｇが形成されている部分以外の部分では、リブ部５４ｇが形成されている部分よりも薄くなっている。このため、第２のラバードーム５２Ａの変形部５４ｄが座屈する際に必要な力は、あまり大きくはならず、第１のスイッチをオンにするために必要な力Ｆ１と、第２のスイッチをオンにするために必要な力Ｆ２との関係は、Ｆ１：Ｆ２＝１：２程度に調整することができる。
【００６７】
従って、本実施の形態におけるスイッチ装置は、２段スイッチにおいて、２段階の操作感が認識されやすく、長寿命にすることができる。
【００６８】
（変形例）
また、本実施の形態におけるスイッチ装置は、第２のラバードーム５２Ａにおけるリブ部５４ｇは、変形部５４ｄのみに設けたものであってもよく、また、上部側面５４ｆのみに設けたものであってもよい。具体的には、図１８及び図１９に示されるように、上部側面５４ｆのみにリブ部５４ｇを設けた構造のものであってもよい。尚、図１８は、このラバードームシートの上面図であり、図１９は、図１８における一点鎖線１８Ａ−１８Ｂにおいて切断した断面図である。
【００６９】
また、本実施の形態におけるスイッチ装置は、リブ形状を形成する代わりに、リブ部に相当する部分の厚さを厚くした肉厚部を設けたものであってもよい。具体的には、図２０から図２２に示されるように、第２のラバードーム５２Ａは、第１のラバードーム５１Ａ側のとなるＸ１−Ｘ２方向における上部側面５４ｆ及び変形部５４ｄには、肉厚部５４ｈを形成したものであってもよい。肉厚部５４ｈはＸ１−Ｘ２方向における厚さが最も厚く形成されており、第１のラバードーム５１Ａから離れるに伴い徐々に薄くなっており、Ｙ１−Ｙ２方向には形成されてはいない。尚、図２０は、このラバードームシートの上面図であり、図２１は、図２０における一点鎖線２０Ａ−２０Ｂにおいて切断した断面図であり、図２２は、ＸＹ面に平行に切断した断面図である。
【００７０】
このような肉厚部５４ｈを第２のラバードーム５２Ａの上部側面５４ｆ及び変形部５４ｄに形成した場合であっても、リブ部５４ｇを形成した場合と同様の効果を得ることができる。
【００７１】
また、本実施の形態におけるスイッチ装置は、第２のラバードーム５２Ａにおける肉厚部５４ｈは、変形部５４ｄのみに設けたものであってもよく、また、上部側面５４ｆのみに設けたものであってもよい。例えば、図２３及び図２４に示されるように、上部側面５４ｆのみに肉厚部５４ｈを設けた構造のものであってもよい。尚、図２３は、このラバードームシートの上面図であり、図２４は、図２３における一点鎖線２３Ａ−２３Ｂにおいて切断した断面図である。
【００７２】
尚、本願においては、リブ部５４ｇについても肉厚部と記載する場合がある。
【００７３】
以上、実施の形態について詳述したが、特定の実施形態に限定されるものではなく、請求の範囲に記載された範囲内において、種々の変形及び変更が可能である。
【００７４】
尚、本国際出願は、２０１７年１２月２５日に出願した日本国特許出願第２０１７−２４７９２８号に基づく優先権を主張するものであり、その出願の全内容は本国際出願に援用する。
【符号の説明】
【００７５】
１０        操作部
１１        操作面
１２        天井面
１３ａ、１３ｂ      突起部
２０        支持部
２１        上ケース
３０Ａ、３０Ｂ      アクチュエータ
３１        本体部
３２        押下部
３２ａ      底面
３３、３４        凸部
３５        上面
４０        ラバードームシート
４１        ベース部
５１Ａ、５１Ｂ      ラバードーム（第１のラバードーム）
５２Ａ、５２Ｂ      ラバードーム（第２のラバードーム）
５３ａ、５４ａ      上部
５３ｂ、５４ｂ      上面
５３ｃ、５４ｃ      凹部
５３ｄ、５４ｄ      変形部
５３ｅ、５４ｅ      下部
５４ｆ      上部側面
５４ｇ      リブ部
５４ｈ      肉厚部
５５、５６        可動接点部
６０        基板
６１        基板本体
７１Ａ、７１Ｂ      第１の固定接点部
７２Ａ、７２Ｂ      第２の固定接点部
７３ａ、７４ａ      一方の固定接点
７３ｂ、７４ｂ      他方の固定接点
８０        下ケース
【図１】
2019130730.tif 000003
【図２】
2019130730.tif 000004
【図３Ａ】
2019130730.tif 000005
【図３Ｂ】
2019130730.tif 000006
【図４】
2019130730.tif 000007
【図５】
2019130730.tif 000008
【図６】
2019130730.tif 000009
【図７】
2019130730.tif 000010
【図８】
2019130730.tif 000011
【図９】
2019130730.tif 000012
【図１０Ａ】
2019130730.tif 000013
【図１０Ｂ】
2019130730.tif 000014
【図１１Ａ】
2019130730.tif 000015
【図１１Ｂ】
2019130730.tif 000016
【図１１Ｃ】
2019130730.tif 000017
【図１２】
2019130730.tif 000018
【図１３】
2019130730.tif 000019
【図１４】
2019130730.tif 000020
【図１５Ａ】
2019130730.tif 000021
【図１５Ｂ】
2019130730.tif 000022
【図１６Ａ】
2019130730.tif 000023
【図１６Ｂ】
2019130730.tif 000024
【図１６Ｃ】
2019130730.tif 000025
【図１７】
2019130730.tif 000026
【図１８】
2019130730.tif 000027
【図１９】
2019130730.tif 000028
【図２０】
2019130730.tif 000029
【図２１】
2019130730.tif 000030
【図２２】
2019130730.tif 000031
【図２３】
2019130730.tif 000032
【図２４】
2019130730.tif 000033
【国際調査報告】
2019130730.tif 000034
2019130730.tif 000035
2019130730.tif 000036
2019130730.tif 000037